【手続補正書】
【提出日】平成20年9月4日(2008.9.4)
【手続補正１】
【補正対象書類名】明細書
【補正対象項目名】請求項１
【補正方法】変更
【補正の内容】
【請求項１】  ローラ装置と、デリバリローラを備えたトランペットとを有する、スライバーを形成するためにカードまたはカーディング機に設けられる装置であって、トランペットは繊維ウェブを受容して圧縮し、トランペットから出てくるスライバーはデリバリローラの対へ供給可能であって、ローラ装置とトランペットの間に、ほぼ三角形状のウェブ案内部材が配置されている、装置において、
トランペット（１０）の出口領域（１０ａ）は矩形の断面（ａ、ｂ）を有しており、出口領域（１０ａ）の長手軸（ａ）はローラ装置の長手軸（７ｂ、８ｂ）に関して垂直または斜めに配置されていることを特徴とする装置。
【手続補正２】
【補正対象書類名】明細書
【補正対象項目名】請求項５
【補正方法】変更
【補正の内容】
【請求項５】  繊維ウェブ（２２）の方向変換の際に、折り目（２２’）の振幅と出口領域（１０ａ）の長手軸の方向が、互いに対してほぼ平行に延びていることを特徴とする請求項１から４のいずれか１項に記載の装置。
【手続補正３】
【補正対象書類名】明細書
【補正対象項目名】請求項７
【補正方法】変更
【補正の内容】
【請求項７】  折り目は側方で、その波長の方向において圧縮されて出口開口部（１０ａ）の長手方向に延びる壁の間を通過することを特徴とする請求項１から６のいずれか１項に記載の装置。
【手続補正４】
【補正対象書類名】明細書
【補正対象項目名】請求項９
【補正方法】変更
【補正の内容】
【請求項９】  高さ（ｂ）と幅（ａ）の比が、少なくとも約１：３０であることを特徴とする請求項８に記載の装置。
【手続補正５】
【補正対象書類名】明細書
【補正対象項目名】請求項１０
【補正方法】変更
【補正の内容】
【請求項１０】  出口領域（１０ａ）の長い軸は、折り目の振幅の方向にほぼ整合されていることを特徴とする請求項１から９のいずれか１項に記載の装置。
【手続補正６】
【補正対象書類名】明細書
【補正対象項目名】請求項１１
【補正方法】変更
【補正の内容】
【請求項１１】  複数の折り目（２２’）の全体としての高さ（ｈ）が、約５０から１００ｍｍであることを特徴とする請求項１から１０のいずれか１項に記載の装置。
【手続補正７】
【補正対象書類名】明細書
【補正対象項目名】請求項１２
【補正方法】変更
【補正の内容】
【請求項１２】  複数の折り目（２２’）の全体としての高さ（ｈ）が、折り目（２２’）の高さ（ｈ’）とほぼ等しいかそれより大きいことを特徴とする請求項１から１１のいずれか１項に記載の装置。
【手続補正８】
【補正対象書類名】明細書
【補正対象項目名】請求項１３
【補正方法】変更
【補正の内容】
【請求項１３】  出口領域（１０ａ）の高さ（ｂ）は、約２から３ｍｍであることを特徴とする請求項１から１２のいずれか１項に記載の装置。
【手続補正９】
【補正対象書類名】明細書
【補正対象項目名】請求項１４
【補正方法】変更
【補正の内容】
【請求項１４】  出口領域（１０ａ）において高さ（ｈ）にわたって互いに対向する内側壁は、互いに対してほぼ平行であることを特徴とする請求項１から１３のいずれか１項に記載の装置。
【手続補正１０】
【補正対象書類名】明細書
【補正対象項目名】請求項１７
【補正方法】変更
【補正の内容】
【請求項１７】  トランペット（１０）の出口領域（１０ａ）が鋭いエッジで形成されていることを特徴とする請求項１から１６のいずれか１項に記載の装置。
【手続補正１１】
【補正対象書類名】明細書
【補正対象項目名】請求項１９
【補正方法】変更
【補正の内容】
【請求項１９】  トランペット（１０）の出口領域（１０ａ）から出てくるスライバー（１７）が、フラットバンドまたはストリップであることを特徴とする請求項１から１８のいずれか１項に記載の装置。
【手続補正１２】
【補正対象書類名】明細書
【補正対象項目名】請求項２１
【補正方法】変更
【補正の内容】
【請求項２１】  トランペット（１０）の出口領域（１０ａ）が、ローラ締付け点の近傍に配置されていることを特徴とする請求項１から２０のいずれか１項に記載の装置。
【手続補正１３】
【補正対象書類名】明細書
【補正対象項目名】請求項２３
【補正方法】変更
【補正の内容】
【請求項２３】  ばね（２０）のばね力が、調節可能であることを特徴とする請求項２２に記載の装置。
【手続補正１４】
【補正対象書類名】明細書
【補正対象項目名】請求項２６
【補正方法】変更
【補正の内容】
【請求項２６】  トランペット（１０）の入口（１０ｂ）は、細長い断面を有することを特徴とする請求項１から２５のいずれか１項に記載の装置。
【手続補正１５】
【補正対象書類名】明細書
【補正対象項目名】請求項３１
【補正方法】変更
【補正の内容】
【請求項３１】  繊維ウェブ（２２）は、幅にわたって連続的に持ち上げ、または引き下げ可能であることを特徴とする請求項３０に記載の装置。
【手続補正１６】
【補正対象書類名】明細書
【補正対象項目名】請求項３２
【補正方法】変更
【補正の内容】
【請求項３２】  ガイド部材が、矩形の通過開口部を有していることを特徴とする請求項３０または３１に記載の装置。
【手続補正１７】
【補正対象書類名】明細書
【補正対象項目名】請求項３８
【補正方法】変更
【補正の内容】
【請求項３８】  折り目（２２’）は、その波長の方向に互いに対して側方で圧縮されて出口開口部（１０ａ）を通過することを特徴とする請求項１から３７のいずれか１項に記載の装置。
【手続補正１８】
【補正対象書類名】明細書
【補正対象項目名】請求項４２
【補正方法】変更
【補正の内容】
【請求項４２】  ２つの構成部分が分離可能に互いに固定されていることを特徴とする請求項４１に記載の装置。
【手続補正１９】
【補正対象書類名】明細書
【補正対象項目名】請求項４３
【補正方法】変更
【補正の内容】
【請求項４３】  ウェブ案内部材（９）とトランペット（１０）が、ローラ装置の下方に配置されていることを特徴とする請求項１から４２のいずれか１項に記載の装置。
【手続補正２０】
【補正対象書類名】明細書
【補正対象項目名】請求項４６
【補正方法】変更
【補正の内容】
【請求項４６】  デリバリローラの長手軸は、ローラ装置の長手軸に対して垂直または斜めに配置されていることを特徴とする請求項１から４５のいずれか１項に記載の装置。
【手続補正２１】
【補正対象書類名】明細書
【補正対象項目名】請求項４９
【補正方法】変更
【補正の内容】
【請求項４９】  ウェブ案内部材（９）の入口領域は、ローラ装置の幅にわたって延びていることを特徴とする請求項１から４８のいずれか１項に記載の装置。
【手続補正２２】
【補正対象書類名】明細書
【補正対象項目名】請求項５０
【補正方法】変更
【補正の内容】
【請求項５０】  ウェブ案内部材（９）の入口領域は、ローラ装置に近接して配置されていることを特徴とする請求項１から４９のいずれか１項に記載の装置。
【手続補正２３】
【補正対象書類名】明細書
【補正対象項目名】請求項５１
【補正方法】変更
【補正の内容】
【請求項５１】  ウェブ案内部材（９）の出口領域は、ローラ装置に対して距離（ｇ）で配置されていることを特徴とする請求項１から５０のいずれか１項に記載の装置。
【手続補正２４】
【補正対象書類名】明細書
【補正対象項目名】請求項５６
【補正方法】変更
【補正の内容】
【請求項５６】  ストリップローラ（６）は、時計方向に回転することを特徴とする請求項５５に記載の装置。
【手続補正２５】
【補正対象書類名】明細書
【補正対象項目名】請求項５７
【補正方法】変更
【補正の内容】
【請求項５７】  ストリップローラ（６）は、繊維材料をウェブ収集部材（３０）内へ放出することを特徴とする請求項５５または５６に記載の装置。
【手続補正２６】
【補正対象書類名】明細書
【補正対象項目名】請求項５８
【補正方法】変更
【補正の内容】
【請求項５８】  圧縮ローラ（１８、１９）とストリップローラ（６）は、登り坂になるように配置されていることを特徴とする請求項５５から５７のいずれか１項に記載の装置。